(57)【要約】【課題】支持部材の強度を上げた表示装置を提供することにある。【解決手段】正面に映像を表示する表示パネル１１と、該表示パネル１１の背面を覆う被覆部材と、該被覆部材の一縁に取り付けてあり、機器を支持するための板状の支持部材３０とを備える表示装置において、前記支持部材３０は長手方向に沿って突出する凸部を備え、前記支持部材３０は、前記被覆部材及び支持部材３０の背面を覆う後キャビネットを組み付けるためのボスを前記凸部の背面に備えることを特徴とする。【選択図】図１
2015090440.tif 000002
【特許請求の範囲】
【請求項１】
正面に映像を表示する表示パネルと、該表示パネルの背面を覆う被覆部材と、該被覆部材の一縁に取り付けてあり、機器を支持するための板状の支持部材とを備える表示装置において、
前記支持部材は長手方向に沿って突出する凸部を備える
ことを特徴とする表示装置。
【請求項２】
前記支持部材は、
前記被覆部材及び支持部材の背面を覆う後キャビネットを組み付けるためのボスを前記凸部の背面に備える
ことを特徴とする請求項１に記載の表示装置。
【請求項３】
前記支持部材は、
長手方向に沿って千鳥配置された複数の貫通孔を備え、
前記被覆部材は、
該貫通孔に対応づけられた位置にネジ孔を備える
ことを特徴とする請求項１又は請求項２に記載の表示装置。
【請求項４】
前記支持部材は、
短手方向に沿って延び、前記貫通孔の左右方向の夫々の両端に複数の補強リブを備える
ことを特徴とする請求項３に記載の表示装置。
【請求項５】
前記支持部材は、
前記凸部に嵌合された補強部材をさらに備える
ことを特徴とする請求項１から請求項４のいずれか１つに記載の表示装置。
【発明の詳細な説明】
【技術分野】
【０００１】
本発明は、筺体の一部を保護するフロントカバー又はサウンドカバー等の支持部材を備える表示装置に関する。
【背景技術】
【０００２】
表示画面の大きさに比べて室内の占有面積が小さい薄型の表示装置は、限られた室内空間を有効に利用することができることから、一般に広く普及している。表示装置は、表示する表示パネルを前後のキャビネットで囲って構成されている。表示装置は筺体の内部にスピーカ又はＨＤＤ等の機器を備える場合があり、薄型の表示装置では強度が上げられないため機器を取り付ける支持部材を設けることが一般に行われている。
【０００３】
例えば、特許文献１に記載の表示装置（プラズマディスプレイ装置）は、表示パネルの背面に設けられた矩形状のシャーシベースに組み付けられた支持部材（補強部材）を備える。支持部材はＵ字型の結合部と、結合部に連結し、直角に形成された補強部とを備える。支持部材は結合部にシャーシベースの一長辺を挿入し、結合部の外面から内面に貫通する第１貫通孔からシャーシベースの厚さ方向を貫通する第２貫通孔にネジを螺入することによりシャーシベースに組み付けることで支持部材とシャーシベースとの間に設けた機器を衝撃から保護する。
【先行技術文献】
【特許文献】
【０００４】
【特許文献１】特開２００８−１８１１４２号公報
【発明の概要】
【発明が解決しようとする課題】
【０００５】
しかし、特許文献１に記載の表示装置は、支持部材の強度が足りず、機器に振動等の影響が生じるという問題があった。
【０００６】
本発明は斯かる事情に鑑みてなされたものであり、その目的とするところは、支持部材の強度を上げた表示装置を提供することにある。
【課題を解決するための手段】
【０００７】
本発明に係る表示装置は正面に映像を表示する表示パネルと、該表示パネルの背面を覆う被覆部材と、該被覆部材の一縁に取り付けてあり、機器を支持するための板状の支持部材とを備える表示装置において、前記支持部材は長手方向に沿って突出する凸部を備えることを特徴とする。
【０００８】
本発明に係る表示装置は前記支持部材は、前記被覆部材及び支持部材の背面を覆う後キャビネットを組み付けるためのボスを前記凸部の背面に備えることを特徴とする。
【０００９】
本発明に係る表示装置は前記支持部材は、長手方向に沿って千鳥配置された複数の貫通孔を備え、前記被覆部材は、該貫通孔に対応づけられた位置にネジ孔を備えることを特徴とする。
【００１０】
本発明に係る表示装置は前記支持部材は、短手方向に沿って延び、前記貫通孔の左右方向の夫々の両端に複数の補強リブを備えることを特徴とする。
【００１１】
本発明に係る表示装置は前記支持部材は、前記凸部に嵌合された補強部材をさらに備えることを特徴とする。
【発明の効果】
【００１２】
本発明によれば、支持部材は長手方向に沿って突出する凸部を備えることで強度を上げることができる。
【図面の簡単な説明】
【００１３】
【図１】表示装置の構成の一例を示す外観正面図である。
【図２】表示装置の構成の一例を示す外観背面図である。
【図３】支持部材を示す正面図である。
【図４】支持部材を示す背面図である。
【図５】凸部の左側部分を拡大した拡大図である。
【図６】図２、４のＡ−Ａ線、Ｂ−Ｂ線による縦断面の概念図である。
【図７】バックライトシャーシの後面を示す斜視図である。
【図８】支持部材の取り付け手順を示す斜視図である。
【図９】支持部材の取り付け手順を示す斜視図である。
【図１０】支持部材の左側部分を拡大した拡大図である。
【図１１】リブの左から３組目を拡大した拡大図である。
【図１２】従来のバックライトシャーシ、補強用部材及び支持部材の関係を示す斜視図である。
【図１３】図９、１２のＣ−Ｃ線、Ｄ−Ｄ線による縦断面の概念図である。
【図１４】実施の形態２に係る支持部材を示す正面図である。
【図１５】実施の形態２に係る支持部材を示す背面図である。
【図１６】図１４のＩ−Ｉ線による縦断面の概念図である。
【図１７】実施の形態３に係る支持部材を示す正面図である。
【図１８】実施の形態３に係る支持部材を示す背面図である。
【図１９】図１８のＩＩ−ＩＩ線による縦断面図である。
【図２０】実施の形態４に係る支持部材を示す正面図である。
【図２１】実施の形態４に係る支持部材を示す背面図である。
【図２２】係止部を示す拡大斜視図である。
【図２３】実施の形態４に係る支持部材の取り付け手順を示す斜視図である。
【図２４】実施の形態４に係る支持部材の取り付け手順を示す斜視図である。
【図２５】実施の形態５に係る支持部材を示す背面図である。
【図２６】実施の形態５に係るバックライトシャーシの後面を示す斜視図である。
【図２７】実施の形態５に係る支持部材の取り付け手順を示す斜視図である。
【図２８】実施の形態６に係る支持部材の取り付け手順を示す背面図である。
【図２９】実施の形態６に係る支持部材の取り付け手順を示す背面図である。
【図３０】実施の形態６に係る支持部材の取り付け手順を示す背面図である。
【発明を実施するための形態】
【００１４】
以下、本発明をその実施の形態を示す図面に基づいて詳述する。
【００１５】
実施の形態１
図１は、表示装置の構成の一例を示す外観正面図である。図２は、表示装置の構成の一例を示す外観背面図である。図示の表示装置は、矩形板状をなす画像表示用の液晶パネル（表示パネル）１を備える液晶表示装置である。以下の説明においては、液晶パネル１の画像表示面の側を前、他側を後とする。また、以下の説明で使用する上、下は、液晶パネル１を正面に置いた場合での上、下に対応し、同じく左、右は、液晶パネル１を正面に置いた場合での前側から見て左、右に対応する。
【００１６】
液晶パネル１には、矩形枠状の前キャビネット１０が、正面（画像表示面）の周縁を適幅に亘って囲繞するように組み付けてある。図１には、前キャビネット１０の枠内に露出する液晶パネル１の画像表示面のみが示されている。液晶パネル１の背面側は、光源の外筐を構成するバックライトシャーシ（被覆部材）２０（図７参照）により覆われている。図２に示すようにバックライトシャーシ２０の背面側は、後キャビネット７０によって覆われている。バックライトシャーシ２０の下端には、左右方向に長く上下方向に短い板状の支持部材３０が後述するように組み付けてある。支持部材３０の左右両側には箱状のスピーカが組み付けられている。貫通孔７４は後述するボス３７に対応づけられた位置に設けられ、貫通孔７８は後述するボス３８ａに対応づけられた位置に設けられている。後キャビネット７０は貫通孔７４、７８を挿通し、下部中央から左右方向に並設された４つのネジと、これらのネジの左右両側に並ぶ各２つのネジとでバックライトシャーシ２０に取り付けてある。ネジは直線状に並べて設けてある。
【００１７】
図１、図２に示す表示装置は、バックライトシャーシ２０の後面に取付けた受信部４及び信号処理部５を備えるテレビジョン受信機として構成されている。受信部４は、図示しないアンテナに接続され、該アンテナを介してテレビジョン放送を受信する。信号処理部５は、受信部４が受信したテレビジョン放送に係るデータを復調し、復調したデータから画像データを分離し、分離した画像データを出力する。液晶パネル１は、信号処理部５が出力した画像データに基づく画像を画像表示面に表示する。
【００１８】
表示装置は、更にスタンド６を備えている。スタンド６は、後キャビネット７０の下辺の中央部から左部及び右部に離隔した位置に垂直に突き出す脚柱６１の夫々の先端に、該脚柱６１の先端に対して略垂直に左右方向に長く上下方向に短い柱状の連設部６２を連設し、連設部６２の左右の端から下方に立設する脚部６３を連設してなる。表示装置は、載置面上にスタンド６を介して支持し、液晶パネル１の画像表示面を縦姿勢に保って使用される。
【００１９】
図３は支持部材３０を示す正面図である。図４は支持部材３０を示す背面図である。支持部材３０は、図３、図４に示すように、板状に形成された取付部３５と、取付部３５の下端に連なり、スピーカを支持する支持部３６とを備える。
【００２０】
取付部３５は、図３に示すように背面の中央から左右方向に適長にわたって延びる凸部３８が設けてある。適長とは全体の長さの略半分程度である。凸部３８は厚さ方向の断面形状がＵ字状であり、開口側をバックライトシャーシ２０に向けて設けてある。取付部３５は、長手方向に沿って千鳥配置された複数のネジ止め孔（貫通孔）３３を備える。ネジ止め孔３３のいくつかには左右両側にリブ（補強リブ）３２が各２つずつ１１組立設されている。取付部３５は、上面の中央部から左下、右下方向に離隔した位置に切り欠き部３４、３４と、切り欠き部３４、３４の中央から上方向に突出した三角形状の突出部（位置決め凸部）３１、３１と、凸部３８の上面からバックライトシャーシ２０を係止する係止部３１ａ、３１ａとを備える。取付部３５は、凸部３８上に左右方向に並設された４本のボス３８ａと、凸部３８の左右の両端から取付部３５の左右の両端まで並設された４本の円筒状のボス３７とを備える。ボス３７、３８ａは貫通孔７４、７８に対応づけられている。なお、ネジ止め孔３３の位置は図３に示すような位置でなくてもよく、必ずしも交互でなくてもよい。
【００２１】
リブ３２の左右の両側における３組の上下方向の長さは取付部３５の上端から下端であり、リブ３２の中央の５組の上下方向の長さは取付部３５の上端から凸部３８の上端である。
【００２２】
図５は凸部３８の左側部分を拡大した拡大図である。図６は図２、４のＡ−Ａ線、Ｂ−Ｂ線による縦断面の概念図である。図６Ａは図２のＡ−Ａ線による縦断面の概念図である。図６Ｂは図４のＢ−Ｂ線による縦断面の概念図である。
【００２３】
図４、図５に示すようにボス３８ａは上部の左右両端から３、４本目のネジ止め孔３３における下部の凸部３８に位置し、凸部３８の上下方向の中央部に配置されている。図６Ｂに示すように、ボス３８ａは凸部３８と一体に設けられており、前後方向を軸方向とする有底円筒状であり、ボス３８ａの内面には雌ネジが設けられ、背面に向かって開口側が設けられている。図６Ａに示すように、支持部材３０の後キャビネット７０への組み付けは、ボス３８ａが後キャビネット７０の貫通孔７８に当接し、後キャビネット７０の貫通孔７８から挿通されたネジがボス３８ａの雌ネジに螺着されることで組み付けることができる。ボス３８ａは凸部３８に設けられていることにより、前後方向に可撓性を有するため平板に設けられるよりも強度が上がっている。
【００２４】
ボス３７は左、右から４本目のリブ３２の右、左側、凸部３８の左右両端の左、右側に位置し、貫通孔７４を挿通されたネジがボス３８ａの雌ネジに螺着されることで支持部材３０を後キャビネット７０に組み付けることができる。支持部３６は凸部３８の左端、右端の下部付近から左、右から１番目のボス３７の下部付近までの位置に矩形状のスピーカ載置部３６ａを備える。
【００２５】
図７はバックライトシャーシ２０の後面を示す斜視図である。バックライトシャーシ２０の下段にはネジ止め孔３３に対応づけられ、左右方向に沿って千鳥配置された複数のネジ孔２１と、突出部３１、３１に対応づけられ、下側中央部から左部及び右部に離隔した位置におけるネジ孔２１の上部に設けられた接続部８０、８０とを備える。
【００２６】
接続部８０、８０は、上下方向に長く左右方向が短く、厚さ方向の断面形状がＵ字状のアングル材である。接続部８０、８０はＵ字の開口側をバックライトシャーシ２０に向けて、４つの角をネジでバックライトシャーシ２０にネジ止めすることにより固定されている。接続部８０、８０は、取付部３５の突出部３１、係止部３１ａに対応づけられている。
【００２７】
図８、図９は支持部材３０の取り付け手順を示す斜視図である。支持部材３０をバックライトシャーシ２０に組み付ける方法は以下の通りである。図８に示すように支持部材３０はバックライトシャーシ２０の下部に左右方向の位置が合うように近づけて突出部３１、３１に接続部８０、８０を嵌め合わせ、係止部３１ａ、３１ａをバックライトシャーシ２０の下端に係止することで左右方向の位置決めをし、ネジ孔２１にネジ止めすることで係合することによりバックライトシャーシ２０に取り付けることができる。図２に示すようにバックライトシャーシ２０は後キャビネット７０の複数の貫通孔７４、７８の夫々から、支持部材３０の複数のボス３７、３８ａの夫々にネジを螺入することで後キャビネット７０に組み付けることができる。
【００２８】
図１０は支持部材３０の左側部分を拡大した拡大図である。図１１はリブ３２の左から３組目を拡大した拡大図である。図１０、図１１に示すように、支持部材３０は左から１〜４組目のリブ３２に設けられた三角形状の突出部３２ａと、突出部３２ａ間に設けられた矩形状の開口部３２ｃと、開口部３２ｃの上端又は下端から後ろ側に向かって突出し、先端が垂直方向に曲がる屈曲部３２ｂとを備える。支持部材３０はバックライトシャーシ２０の下端に設けられ、液晶パネル１を駆動させるためのソース基板６０（図１２参照）に接続されたハーネス９０を開口部３２ｃから支持部材３０の背面に延出し、延出したハーネス９０を突出部３２ａと屈曲部３２ｂとの間に通して保持することで配線処理をしている。
【００２９】
図１２は従来のバックライトシャーシ２０、補強用部材５０及び支持部材３０の関係を示す斜視図である。図１３は図９、１２のＣ−Ｃ線、Ｄ−Ｄ線による縦断面の概念図である。図１３Ｃは、本発明における図９のＣ−Ｃ線による縦断面の概念図である。図１３Ｄは、従来の図１２のＤ−Ｄ線による縦断面の概念図である。
【００３０】
以下、図１２、図１３Ｄを参照しつつ従来の表示装置の構造を説明する。従来の表示装置は、バックライトシャーシ２０の補強のため、バックライトシャーシ２０の下部に左右方向に長い板状の補強用部材５０を配置していた。補強用部材５０は、主に、バックライトシャーシ２０の長手方向の反り、歪みを抑えるためのものである。補強用部材５０は鉄等の金属性であり、剛性が強い。補強用部材５０は、バックライトシャーシ２０の背面下部にビス止めされ固定される。バックライトシャーシ２０の背面の下端には、両面テープによりソース基板６０が固定されている。補強用部材５０とバックライトシャーシ２０との固定は、補強用部材５０の上端付近で行われる。ソース基板６０とは、液晶パネル１を駆動するための基板の１つで、液晶パネル１とＦＰＣ（Flexible Printed Circuits）によって接続されている。補強用部材５０は、ソース基板６０に対して、無用な外力がかからないよう保護する役目も果たす。支持部材３０は、補強用部材５０の下部にビス止め固定される。図１３Ｃ、１３Ｄを参照しつつ本発明の構造を従来と対比して説明する。本発明では、部品点数の削減、重量の削減等のため、補強用部材５０を廃止し、補強の効果を支持部材３０によって行っている。補強用部材５０が金属性に対して、支持部材３０は樹脂性であることから、同一の形状では、補強用部材５０としての効果が出ない。そこで、支持部材３０に水平方向へのコの字構造を付加することによって、支持部材３０の強度、剛性を増し、補強用部材５０の代替としている。 
【００３１】
本実施形態によれば、支持部材３０は左右方向に沿って前後方向に突出した凸部３８を備えることで強度を上げることにより、スピーカを安定して支えることができる。なお、支持部材３０が支える機器はスピーカに限られず、ＨＤＤ等の機器でもよい。
【００３２】
本実施形態によれば、支持部材３０は凸部３８の背面にボス３８ａを備えることで直接後キャビネット７０に組み付けることができ、部品点数の削減を行うことができる。またボス３８ａは凸部３８に設けられているから後キャビネット７０の強度が上がる。
【００３３】
本実施形態によれば、支持部材３０は左右方向に沿って上下方向に交互に開設された複数のネジ止め孔３３を備え、バックライトシャーシ２０は、ネジ止め孔３３に対応づけられた位置にネジ孔２１を備える。このことにより支持部材３０は上下左右方向の強度を上げることができる。
【００３４】
本実施形態によれば、支持部材３０は上下方向に沿って前後方向に立設されたリブ３２を備えることで前後方向の強度を上げることができる。
【００３５】
本実施形態によれば、支持部材３０は突出部３１、３１の夫々を接続部８０、８０の夫々の下端に挿入することでバックライトシャーシ２０に位置決めすることができる。
【００３６】
本実施形態によれば、ハーネス９０を突出部３２ａと屈曲部３２ｂとの間に通して保持することで配線処理をしている。このことによりリブ３２はハーネス９０の配線処理と支持部材３０の補強とを同時に行うことができ、金型の工程を削減できる。
【００３７】
実施の形態２
図１４は実施の形態２に係る支持部材３０を示す正面図である。図１５は実施の形態２に係る支持部材３０を示す背面図である。図１６は図１４のＩ−Ｉ線による縦断面の概念図である。以下、特に説明する構成、作用以外の構成及び作用は実施の形態１と同等であり、簡潔のため記載を省略する。また各部の符号は簡潔のため記載を省略する。図１４、図１５、図１６に示すように表示装置は支持部材３０の凸部３８の内面に左右方向に長く上下方向に短く、上下方向の断面形状がＵ字をなす板状の補強金具（補強部材）１００をさらに備える。支持部材３０は凸部３８に設けられたボス３８ａ、３８ａの左部、右部の夫々にボス１０ｂ、１０ｂを備える。夫々のボス１０ｂ、１０ｂの先端部にはネジ孔１０ｃ、１０ｃを備える。補強金具１００の外幅は凸部３８の内幅と略同じ大きさである。補強金具１００はボス１０ｂに対応づけられ、中央部から左部及び右部に離隔した位置に貫通孔１０ａを備える。補強金具１００はボス１０ｂに設けたネジ孔１０ｃに前側からネジ１２を螺入することで支持部材３０に固定されている。
【００３８】
本実施形態によれば、支持部材３０は凸部３８の内面に断面形状がＵ字状をなす補強金具１００を固定（嵌合）させることにより、支持部材３０の強度を上げることができる。
【００３９】
実施の形態３
図１７は実施の形態３に係る支持部材３０を示す正面図である。図１８は実施の形態３に係る支持部材３０を示す背面図である。図１９は図１８のＩＩ−ＩＩ線による縦断面図である。以下、特に説明する構成、作用以外の構成及び作用は実施の形態１と同等であり、簡潔のため記載を省略する。また各部の符号は簡潔のため記載を省略する。図１７、図１８、図１９に示すように表示装置は支持部材３０の凸部３８の内面に左右方向に長く上下方向に短く、上下方向の断面形状がＵ字をなす板状の補強金具（補強部材）１１０をさらに備える。支持部材３０は凸部３８に設けられたボス３８ａ、３８ａの左部、右部の夫々に円筒状のボス１１ｃ、１１ｃと、ボス１１ｃの底に前後方向に貫通された貫通孔１１ａとを備える。補強金具１１０の外幅は凸部３８の内幅と略同じ大きさである。補強金具１００はボス１０ｂに対応づけられ、中央部から左部及び右部に離隔した位置にネジ孔１１ｂ、１１ｂを備える。補強金具１１０はボス１１ｃに設けた貫通孔１１ａを通してネジ孔１１ｂに後ろ側からネジ１２を螺入することで支持部材３０に固定されている。
【００４０】
本実施形態によれば、支持部材３０は凸部３８の内面に断面形状がＵ字状をなす補強金具１１０を固定（嵌合）させることにより、支持部材３０の強度を上げることができる。
【００４１】
実施の形態４
図２０は実施の形態４に係る支持部材３０を示す正面図である。図２１は実施の形態４に係る支持部材３０を示す背面図である。これらの図は支持部材３０に設けられた切り欠き部３４、３４間の部分を拡大して示してある。以下、特に説明する構成、作用以外の構成及び作用は実施の形態１と同等であり、簡潔のため記載を省略する。図２０、２１に示すように支持部材３０は切り欠き部３４の右上、左上の夫々に係止部３２３、３２３をさらに備える。図２２は係止部３２３を示す拡大斜視図である。図２２に示すように係止部３２３、３２３は前側に向かって突出したフック（爪）状の先端に上方向に曲がる爪部を備える。
【００４２】
図２３、２４は実施の形態４に係る支持部材３０の取り付け手順を示す斜視図である。これらの図は支持部材３０に設けられた切り欠き部３４、３４間の部分を拡大して示してある。図２３、２４に示すようにバックライトシャーシ２０は係止部３２３、３２３に対応づけられ、下側中央部から左部及び右部に離隔した位置から前後方向に開口した矩形状の開口部２３、２３をさらに備える。
【００４３】
支持部材３０をバックライトシャーシ２０に取り付ける手順は以下の通りである。図２３、２４に示すように係止部３２３、３２３を開口部２３、２３に対して位置合わせし撓ませ、開口部２３、２３の後ろ側から挿入する。撓ませた係止部３２３、３２３を元に戻すことにより開口部２３、２３の上端に突出部が係止され、支持部材３０をバックライトシャーシ２０に仮止めすることができ、この仮止めにより、支持部材３０に設けられたネジ止め孔３３はバックライトシャーシ２０に設けられたネジ孔２１に整合し、夫々のネジ止め孔３３を通して各ネジ孔２１にネジを螺入することでバックライトシャーシ２０に組み付けることができる。
【００４４】
本実施形態によれば、支持部材３０は係止部３２３、３２３を開口部２３、２３に係止することでバックライトシャーシ２０に仮止めすることができる。このことにより表示装置の組み立てを容易に実施することができる。
【００４５】
実施の形態５
図２５は実施の形態５に係る支持部材３０を示す背面図である。以下、特に説明する構成、作用以外の構成及び作用は実施の形態４と同等であり、簡潔のため記載を省略する。また各部の符号は簡潔のため記載を省略する。図２５に示すように支持部材３０は係止部３２３、３２３の左部、右部の夫々の後ろ側に所定の合わせマーク３２４、３２４をさらに備える。所定の図形とは例えば三角形又は四角形等である。
【００４６】
図２６は実施の形態５に係るバックライトシャーシ２０の後面を示す斜視図である。図２６に示すようにバックライトシャーシ２０は合わせマーク３２４、３２４に対応づけられ、中央部から左部及び右部に離隔した位置に所定の合わせマーク２４をさらに備える。所定の図形とは例えばＶ字型、三角形又は四角形等である。
【００４７】
図２７は実施の形態５に係る支持部材３０の取り付け手順を示す斜視図である。実施の形態５に係る支持部材３０をバックライトシャーシ２０に組み付ける方法は以下の通りである。図２７に示すように合わせマーク３２４に合わせマーク２４を合わせることで支持部材３０をバックライトシャーシ２０に位置決めする。具体的には合わせマーク３２４の三角形の頂点に合わせマーク２４の隣接の頂点を合わせることで、支持部材３０をバックライトシャーシ２０に位置決めする。以降の組み付け方法は実施の形態４と略同様のため簡潔のため記載を省略する。
【００４８】
本実施形態によれば、支持部材３０は合わせマーク３２４に合わせマーク２４を合わせることでバックライトシャーシ２０に位置決めすることができる。このことにより表示装置の組み立てを容易に実施することができる。
【００４９】
実施の形態６
図２８は実施の形態６に係る支持部材３０の取り付け手順を示す背面図である。以下、特に説明する構成、作用以外の構成及び作用は実施の形態５と同等であり、簡潔のため記載を省略する。また各部の符号は簡潔のため記載を省略する。図２８に示すように支持部材３０の支持部３６は中央部から左部、右部の夫々に離隔した位置に設けられた円筒状のボス３２８、３２８をさらに備える。
【００５０】
バックライトシャーシ２０は下側中央部から左方、右方の夫々に離隔した位置の上下に並べて設けられた各２つのボス２５、２５と、上列のボス２５、２５より上位置でボス２５、２５の位置の間に設けられたボス２６、２６と、下列のボス２５、２５よりも下位置で中央下部に設けられたボス２７とを備える。
【００５１】
図２９は実施の形態６に係る支持部材３０の取り付け手順を示す背面図である。図２９に示すように支持部１２０はボス２５、２５、２５、２５に対応づけられ、両短辺付近の上部及び下部に開口された貫通孔１２５、１２５、１２５、１２５と、ボス２６、２６に対応づけられ、上端の中央部から左部及び右部に離隔し、貫通孔１２５より中央部に近い位置に開口された貫通孔１２６、１２６と、ボス２７に対応づけられ、中央下部における下部に設けられた貫通孔１２５より下部に設けられた位置に開口された貫通孔１２７と、ボス３２８に対応づけられ、下端の中央部から左部及び右部に離隔し、中央部から貫通孔１２５より近く貫通孔１２６より遠い位置に開口された貫通孔１２８、１２８と、貫通孔１２７の下部に開口された貫通孔１２９とを備える。
【００５２】
実施の形態６に係る支持部材３０をバックライトシャーシ２０に組み付ける方法は以下の通りである。支持部１２０は貫通孔１２５、１２５、１２５、１２５、貫通孔１２６、１２６、貫通孔１２７及び貫通孔１２８、１２８の夫々と、ボス２５、２５、２５、２５、ボス２６、２６、ボス２７及びボス３２８の夫々に設けられたネジ孔に螺入することにより支持部材３０をバックライトシャーシ２０に固定する。ネジ止め孔３３からネジ孔２１にネジを螺入することで支持部材３０をバックライトシャーシ２０に組み付けることができる。
【００５３】
図３０は実施の形態６に係る支持部材３０の取り付け手順を示す背面図である。実施の形態６に係るスタンド７は、後キャビネット７０の中央部の下部に設けられた矩形状の接続板７３から、該接続板７３に対して左右方向に長く上下方向に短い柱状の連接部を連接し、連接部の左右の端から下方に立設する脚部を連設してなる。表示装置は、載置面上にスタンド７を介して支持し、液晶パネル１の画像表示面を縦姿勢に保って使用される。接続板７３は中央下部に貫通孔７１０が開口され、貫通孔７１０を通して支持部１２０の貫通孔１２９にネジ止めされている。
【００５４】
本実施形態によれば、貫通孔１２５、１２５、１２５、１２５、貫通孔１２６、１２６、貫通孔１２７及び貫通孔１２８、１２８の夫々と、ボス２５、２５、２５、２５、ボス２６、２６、ボス２７及びボス３２８の夫々に設けられたネジ孔に螺入することにより支持部材３０をバックライトシャーシ２０に固定することができる。ネジ止め孔３３の組み付けが容易になる。
【００５５】
本実施の形態に係る表示装置は、正面に映像を表示する表示パネル１１と、該表示パネル１１の背面を覆う被覆部材２０と、該被覆部材２０の一縁に取り付けてあり、機器を支持するための板状の支持部材３０とを備える表示装置において、前記支持部材３０は長手方向に沿って突出する凸部３８を備えることを特徴とする。
【００５６】
本実施形態によれば、支持部材３０は左右方向に沿って前後方向に突出した凸部３８を備えることで強度を上げることで、スピーカを安定して支えることができる。なお、支持部材３０が支える機器はスピーカに限られず、ＨＤＤ等の機器でもよい。
【００５７】
本実施の形態に係る表示装置は、前記支持部材３０は、前記被覆部材２０及び支持部材３０の背面を覆う後キャビネット７０を組み付けるためのボス３７、３８ａを前記凸部３８の背面に備えることを特徴とする。
【００５８】
本実施形態によれば、支持部材３０は凸部３８の背面にボス３７、３８ａを備えることで直接後キャビネット７０に組み付けることができ、部品点数の削減を行うことができる。またボス３８ａは凸部３８に設けられているから後キャビネット７０の強度が上がる。
【００５９】
本実施の形態に係る表示装置は、前記支持部材３０は、長手方向に沿って千鳥配置された複数の貫通孔３３を備え、前記被覆部材２０は、該貫通孔３３に対応づけられた位置にネジ孔２１を備えることを特徴とする。
【００６０】
本実施形態によれば、支持部材３０は左右方向に沿って上下方向に交互に開設された複数のネジ止め孔３３を備え、バックライトシャーシ２０は、ネジ止め孔３３に対応づけられた位置にネジ孔２１を備える。このことにより支持部材３０は上下左右方向の強度を上げることができる。
【００６１】
本実施の形態に係る表示装置は、前記支持部材３０は、短手方向に沿って延び、前記貫通孔３３の左右方向の夫々の両端に複数の補強リブ３２を備えることを特徴とする。
【００６２】
本実施形態によれば、支持部材３０は上下方向に沿って前後方向に立設されたリブ３２を備えることで前後方向の強度を上げることができる。
【００６３】
本実施の形態に係る表示装置は、前記支持部材３０は、前記凸部３８に嵌合された補強部材１００、１１０をさらに備えることを特徴とする。
【００６４】
本実施形態によれば、支持部材３０の強度を上げることができる。
【００６５】
本実施の形態に係る表示装置は、前記被覆部材２０は、背面に厚さ方向の断面形状がＵ字状をなす複数の接続部８０を備え、前記支持部材３０は短手方向に突出する複数の位置決め凸部３８を備え、前記接続部８０の夫々は、該位置決め凸部３１の夫々に嵌合することにより位置決めして前記被覆部材２０に接続することを特徴とする。
【００６６】
本実施形態によれば、支持部材３０は突出部３１、３１の夫々を接続部８０、８０の夫々の下端に挿入することでバックライトシャーシ２０に位置決めすることができる。このことにより表示装置の組み立てを容易に実施することができる。
【００６７】
本実施の形態に係る表示装置は、スタンド６を支持するための板状の支持部１２０を備え、前記被覆部材２０は開口部２３を備え、前記支持部材３０は厚さ方向に立設された爪状の係止部３２３と、前記被覆部材に位置決めするための位置決めボス２５〜２７とを備え、前記支持部３０は、前記位置決めボス２５〜２７に対応づけられ、貫通孔１２５〜１２７と、該貫通孔１２５〜１２７と前記位置決めボス２５〜２７とをネジ止めし、及び前記開口部２３に前記係止部３２３を係止することにより前記被覆部材２０と前記支持部材３０との位置決めを行う位置決め構造とを備えることを特徴とする。
【００６８】
本実施形態によれば、貫通孔１２５、１２５、１２５、１２５、貫通孔１２６、１２６、貫通孔１２７及び貫通孔１２８、１２８の夫々と、ボス２５、２５、２５、２５、ボス２６、２６、ボス２７及びボス３２８の夫々とにネジを螺入することにより支持部材３０をバックライトシャーシ２０に固定することができる。ネジ止め孔３３の組み付けが容易になる。
【００６９】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００７０】
１０  前キャビネット
１１  液晶パネル（表示パネル）
１１ａ  貫通孔
１１ｂ  ネジ孔
１１ｃ  ボス
１２  ネジ
２０  バックライトシャーシ（被覆部材）
２１  ネジ孔
２３  開口部
２４  合わせマーク
２５  ボス
２６  ボス
２７  ボス
３０  支持部材
３１  突出部（位置決め凸部）
３２  リブ（補強リブ）
３３  ネジ止め孔（貫通孔）
３５  取付部
３６  支持部
３７  ボス
３８  凸部
３８ａ  ボス
３２３  係止部
３２４  合わせマーク
３２８  ボス
４  受信部
５  信号処理部
６  スタンド
７０  後キャビネット
７４  貫通孔
７８  貫通孔
８０  接続部
１００  補強金具（補強部材）
１０ａ  貫通孔
１０ｂ  ボス
１１０  補強金具（補強部材）
１２０  支持部
１２５  貫通孔
１２６  貫通孔
１２７  貫通孔
１２８  貫通孔
【図１】
2015090440.tif 000003
【図２】
2015090440.tif 000004
【図３】
2015090440.tif 000005
【図４】
2015090440.tif 000006
【図５】
2015090440.tif 000007
【図６】
2015090440.tif 000008
【図７】
2015090440.tif 000009
【図８】
2015090440.tif 000010
【図９】
2015090440.tif 000011
【図１０】
2015090440.tif 000012
【図１１】
2015090440.tif 000013
【図１２】
2015090440.tif 000014
【図１３】
2015090440.tif 000015
【図１４】
2015090440.tif 000016
【図１５】
2015090440.tif 000017
【図１６】
2015090440.tif 000018
【図１７】
2015090440.tif 000019
【図１８】
2015090440.tif 000020
【図１９】
2015090440.tif 000021
【図２０】
2015090440.tif 000022
【図２１】
2015090440.tif 000023
【図２２】
2015090440.tif 000024
【図２３】
2015090440.tif 000025
【図２４】
2015090440.tif 000026
【図２５】
2015090440.tif 000027
【図２６】
2015090440.tif 000028
【図２７】
2015090440.tif 000029
【図２８】
2015090440.tif 000030
【図２９】
2015090440.tif 000031
【図３０】
2015090440.tif 000032